(57)【要約】【課題】他の利用者による占有状態の終了を待っていなくとも原稿のスキャンを可能とすること【解決手段】本発明の制御装置は、設定されたジョブ要求が記憶されるジョブ記憶手段と、画像読取手段が読み取った原稿画像に前記原稿画像の後処理を示す識別子である後処理識別子が含まれている場合、前記画像読取手段によって読み取られた原稿画像に関連するデータに対して、前記ジョブ記憶手段に記憶されているジョブ要求に従った処理を実行するよう制御する制御手段と、を具えている。【選択図】図２
2018046474.tif 000002
【特許請求の範囲】
【請求項１】
設定されたジョブ要求が記憶されるジョブ記憶手段と、
画像読取手段が読み取った原稿画像に、前記原稿画像の後処理を示す識別子である後処理識別子が含まれている場合、前記画像読取手段によって読み取られた原稿画像に関連するデータに対して、前記ジョブ記憶手段に記憶されている前記ジョブ要求に従った処理を実行するよう制御する制御手段と、を具えた制御装置。
【請求項２】
前記後処理識別子は、前記原稿画像の利用者を特定可能な利用者識別子であり、
前記制御手段が、前記画像読取手段によって読み取られた原稿画像に関連するデータに対して、前記利用者識別子から特定される利用者と紐づいている前記ジョブ要求に従った処理を実行するよう制御する、請求項１記載の制御装置。
【請求項３】
前記画像読取手段により読み取られた原稿画像の画像データが記憶される画像記憶手段と、
前記画像記憶手段に記憶されている画像データから、前記利用者識別子を検出する識別子検出手段と、更にを具え、
前記制御手段が、前記利用者識別子から特定される利用者と、前記ジョブ記憶手段に記憶されている前記ジョブ要求と紐づけられた利用者とが一致する場合に、該ジョブ要求の設定に従った処理を実行するよう制御する、請求項２記載の制御装置。
【請求項４】
前記画像読取手段により読み取られた原稿画像の画像データが記憶される画像記憶手段を更に具え、
前記画像読取手段に読み取られた原稿画像に、前記後処理識別子が含まれていない場合に、前記原稿画像の画像データが前記画像記憶手段から削除される、請求項１から３いずれか記載の制御装置。
【請求項５】
前記画像読取手段により読み取られた原稿画像の画像データが記憶される画像記憶手段を更に具え、
前記画像読取手段に読み取られた原稿画像に含まれる前記後処理識別子と紐づいたジョブ要求が、前記ジョブ記憶手段に記憶されていない場合に、所定時間経過後に前記原稿画像の画像データが前記画像記憶手段から削除される、請求項１から４いずれか記載の制御装置。
【請求項６】
前記後処理識別子が、特定の文字列、前記文字列をコード化したもの、及び、予め定めらた配置で形成されているフォームのいずれかである請求項１から５いずれか記載の制御装置。
【請求項７】
前記後処理識別子が原稿に貼付されたシール上に形成されている、請求項６記載の制御装置。
【請求項８】
前記利用者識別子が利用者による手書きの署名又は記号である、請求項２記載の制御装置。
【請求項９】
前記利用者識別子が原稿画像の少なくとも一部である、請求項２記載の制御装置。
【請求項１０】
前記処理が画像形成処理及び送信処理のいずれかを含む、請求項１から９いずれか記載の制御装置。
【請求項１１】
前記処理が、前記原稿画像の画像データに対して施される処理、又は、前記原稿画像の画像データに関する情報を利用者に提供する処理を含む、請求項３から５いずれか記載の制御装置。
【請求項１２】
利用者に紐づけられた既定のジョブ要求を記憶する既定ジョブ記憶手段を、更に具える請求項２記載の制御装置。
【請求項１３】
請求項１から１２いずれか記載の制御装置と、原稿画像を読み取る画像読取手段と、を具えた画像読取装置。
【請求項１４】
請求項１３記載の画像読取装置と、前記画像読取装置とネットワークを介して接続されたジョブ要求受付装置と、を具えた画像読取システム。
【請求項１５】
前記ジョブ要求受付装置が、カメラ機能を有するスマートフォンである、請求項１３記載の画像読取システム。
【請求項１６】
読み取られた原稿画像に、前記原稿画像の後処理を示す識別子である後処理識別子が含まれている場合、読み取られた原稿画像に関連するデータに対して、ジョブ記憶手段に記憶されているジョブ要求に従った処理を実行するステップ、
をコンピュータに実行させるためのプログラム。
【発明の詳細な説明】
【技術分野】
【０００１】
本発明は、画像読取装置、制御装置、画像読取システム及びプログラムに関する。
【背景技術】
【０００２】
下記特許文献１には、入力された印刷ジョブに基づいて記録紙上に画像形成する画像形成装置であって、所定のユーザが前記画像形成装置にログイン中であっても、前記所定のユーザとは異なるユーザからのユーザ情報を入力可能な入力手段と、前記入力手段によりユーザ情報が入力されたユーザに関する所定の処理のうち前記画像形成を伴わない前処理を、前記所定のユーザが前記画像形成装置にログイン中に行う前処理手段とを、有することを特徴とする画像形成装置が開示されている。
【０００３】
下記特許文献２には、操作者がジョブを設定するためのジョブ設定手段と、操作者がジョブ設定の予約をするためのジョブ設定予約手段と、前記ジョブ設定手段で設定されたジョブに従って画像形成装置を動作させる制御手段と、第１操作者が前記ジョブ設定手段によるジョブ設定中に、他の操作者が前記ジョブ設定予約手段でジョブ設定の予約をした場合には、前記第１操作者により設定されたジョブの実行開始後に、前記他の操作者のジョブ設定を受け付け可能な状態とする第２の制御手段と、を備えている画像形成装置が開示されている。
【先行技術文献】
【特許文献】
【０００４】
【特許文献１】特開２００７−１０５９３７号公報
【特許文献２】特開２００６−２３７８５７号公報
【発明の概要】
【発明が解決しようとする課題】
【０００５】
本発明は、原稿画像に関連するデータに対して、読み取った原稿に含まれる後処理を示す後処理識別子に基づいて処理を実行させることのできる、画像読取装置、制御装置、画像読取システム及びプログラムの提供を目的とする。
【課題を解決するための手段】
【０００６】
［制御装置］
請求項１に係る本発明は、設定されたジョブ要求が記憶されるジョブ記憶手段と、
画像読取手段が読み取った原稿画像に、前記原稿画像の後処理を示す識別子である後処理識別子が含まれている場合、前記画像読取手段によって読み取られた原稿画像に関連するデータに対して、前記ジョブ記憶手段に記憶されている前記ジョブ要求に従った処理を実行するよう制御する制御手段と、を具えた制御装置である。
【０００７】
請求項２に係る本発明は、前記後処理識別子は、前記原稿画像の利用者を特定可能な利用者識別子であり、
前記制御手段が、前記画像読取手段によって読み取られた原稿画像に関連するデータに対して、前記利用者識別子から特定される利用者と紐づいている前記ジョブ要求に従った処理を実行するよう制御する、請求項１記載の制御装置である。
【０００８】
請求項３に係る本発明は、前記画像読取手段により読み取られた原稿画像の画像データが記憶される画像記憶手段と、
前記画像記憶手段に記憶されている画像データから、前記利用者識別子を検出する識別子検出手段と、更にを具え、
前記制御手段が、前記利用者識別子から特定される利用者と、前記ジョブ記憶手段に記憶されている前記ジョブ要求と紐づけられた利用者とが一致する場合に、該ジョブ要求の設定に従った処理を実行するよう制御する、請求項２記載の制御装置である。
【０００９】
請求項４に係る本発明は、前記画像読取手段により読み取られた原稿画像の画像データが記憶される画像記憶手段を更に具え、
前記画像読取手段に読み取られた原稿画像に、前記後処理識別子が含まれていない場合に、前記原稿画像の画像データが前記画像記憶手段から削除される、請求項１から３いずれか記載の制御装置である。
【００１０】
請求項５に係る本発明は、前記画像読取手段により読み取られた原稿画像の画像データが記憶される画像記憶手段を更に具え、
前記画像読取手段に読み取られた原稿画像に含まれる前記後処理識別子と紐づいたジョブ要求が、前記ジョブ記憶手段に記憶されていない場合に、所定時間経過後に前記原稿画像の画像データが前記画像記憶手段から削除される、請求項１から４いずれか記載の制御装置である。
【００１１】
請求項６に係る本発明は、前記後処理識別子が、特定の文字列、前記文字列をコード化したもの、及び、予め定めらた配置で形成されているフォームのいずれかである請求項１から５いずれか記載の制御装置である。
【００１２】
請求項７に係る本発明は、前記後処理識別子が原稿に貼付されたシール上に形成されている、請求項６記載の制御装置である。
【００１３】
請求項８に係る本発明は、前記利用者識別子が利用者による手書きの署名又は記号である、請求項２記載の制御装置である。
【００１４】
請求項９に係る本発明は、前記利用者識別子が原稿画像の少なくとも一部である、請求項２記載の制御装置である。
【００１５】
請求項１０に係る本発明は、前記処理が画像形成処理及び送信処理のいずれかを含む、請求項１から９いずれか記載の制御装置である。
【００１６】
請求項１１に係る本発明は、前記処理が、前記原稿画像の画像データに対して施される処理、又は、前記原稿画像の画像データに関する情報を利用者に提供する処理を含む、請求項３から５いずれか記載の制御装置である。
【００１７】
請求項１２に係る本発明は、利用者に紐づけられた既定のジョブ要求を記憶する既定ジョブ記憶手段を、更に具える請求項２記載の制御装置である。
【００１８】
［画像読取装置］
請求項１３に係る本発明は、請求項１から１２いずれか記載の制御装置と、原稿画像を読み取る画像読取手段と、を具えた画像読取装置である。
【００１９】
［画像読取システム］
請求項１４に係る本発明は、請求項１３記載の画像読取装置と、前記画像読取装置とネットワークを介して接続されたジョブ要求受付装置と、を具えた画像読取システムである。
【００２０】
請求項１５に係る本発明は、前記ジョブ要求受付装置が、カメラ機能を有するスマートフォンである、請求項１３記載の画像読取システムである。
【００２１】
［プログラム］
請求項１６に係る本発明は、読み取られた原稿画像に、前記原稿画像の後処理を示す識別子である後処理識別子が含まれている場合、読み取られた原稿画像に関連するデータに対して、ジョブ記憶手段に記憶されているジョブ要求に従った処理を実行するステップ、
をコンピュータに実行させるためのプログラムである。
【発明の効果】
【００２２】
請求項１に係る本発明を具えた画像読取装置によれば、読み取った原稿画像に関連するデータに対して、原稿画像に含まれる後処理識別子に基づいた処理を行うことができる。
【００２３】
請求項２に係る本発明を具えた画像読取装置によれば、請求項１に係る本発明の効果に加えて、原稿画像に含まれる識別子から特定される利用者と、同一の利用者によって設定されたジョブ要求に従った処理を行うことができる。
【００２４】
請求項３に係る本発明を具えた画像読取装置によれば、請求項２に係る本発明の効果に加えて、原稿画像に含まれる識別子から特定される利用者と、同一の利用者によって設定されたジョブ要求に従った処理を行うことができる。
【００２５】
請求項４に係る本発明を具えた画像読取装置によれば、請求項１から３のいずれかに係る本発明の効果に加えて、画像記憶手段の記憶領域の消費を抑制することができる。
【００２６】
請求項５に係る本発明を具えた画像読取装置によれば、請求項１から３のいずれかに係る本発明の効果に加えて、画像記憶手段の記憶領域の消費を抑制することができる。
【００２７】
請求項６に係る本発明を具えた画像読取装置によれば、請求項１から５のいずれかに係る本発明の効果に加えて、印刷機などを用いて、判読性の高い後処理識別子を容易に原稿に形成することができる。
【００２８】
請求項７に係る本発明を具えた画像読取装置によれば、請求項６に係る本発明の効果に加えて、予め原稿用媒体に直接後処理識別子を印字していなかった場合でも、判読性の高い後処理識別子を後から原稿上に形成することができる。
【００２９】
請求項８に係る本発明を具えた画像読取装置にによれば、請求項２に係る本発明の効果に加えて、予め原稿用媒体に直接後処理識別子を印字していなかった場合でも、後処理識別子を後から原稿上に形成することができる。
【００３０】
請求項９に係る本発明を具えた画像読取装置によれば、請求項２に係る本発明の効果に加えて、後処理識別子を原稿上に直接形成する必要がなくなる。
【００３１】
請求項１０に係る本発明よれば、原稿画像をスキャンさせるだけで、利用者は原稿画像の複製又はファクシミリなどの送信処理を行うことができる。
【００３２】
請求項１１に係る本発明よれば、利用者は、原稿画像をスキャンさせるだけで、原稿画像の画像データを特定の格納場所に格納する、画像データを加工・補正する、ＯＣＲ処理をする、特定のオフィス文書へ変換する、画像データの閲覧・利用のためのアクセス権を設定する等の、スキャンされた画像データに対して直接施す処理、又は、画像データの格納場所に関する情報をメール送信する、画像データを特定のメールアドレス宛に添付送信する等、画像データに関する情報を利用者又は第三者に提供する処理を行うことができる。
【００３３】
請求項１２に係る本発明よれば、利用者は、特定のジョブ要求を設定しなくとも、原稿画像を画像読取装置にスキャンさせるだけで、原稿画像に関連するデータに対する処理を行うことができる。
【００３４】
請求項１３に係る本発明によれば、読み取った原稿画像に関連するデータに対して、原稿画像に含まれる後処理識別子に基づいた処理を行うことができる。
【００３５】
請求項１４に係る本発明よれば、利用者は画像読取装置への原稿画像のスキャンと、ジョブ要求の設定とを、非同期的に実施することができる。
【００３６】
請求項１５に係る本発明によれば、請求項１２に係る本発明の効果に加えて、利用者はスマートフォンで原稿画像を撮影するだけで、利用者識別子を設けることができる。
【００３７】
請求項１６に係る本発明によれば、読み取った原稿画像に関連するデータに対して、原稿画像に含まれる後処理識別子に基づいた処理を行うことができる。
【図面の簡単な説明】
【００３８】
【図１】本発明の実施形態に係る画像読取システムのシステム構成を示す概念図である。
【図２】本発明の実施形態に係る画像読取装置１０の機能構成を示すブロック図である。
【図３】スキャン後の処理として画像形成処理を行う場合のハードウェア構成を示すブロック図である。
【図４】本発明の実施形態に係る画像読取装置１０の動作を説明するためのフローチャートである。
【図５】本発明の実施例１に係るシークエンス図である。
【図６】本発明の実施例２に係るシークエンス図である。
【発明を実施するための形態】
【００３９】
図１は、本発明の実施形態に係る画像読取システムのシステム構成を示す図である。本実施形態に係る画像読取システムは、画像読取装置１０と、画像読取装置１０とネットワーク３０を介して接続されたジョブ要求受付装置４０により構成される。ジョブ要求受付装置４０は、ジョブ要求の入力を受け付け、入力されたジョブ要求の設定を画像読取装置１０に対し送信することができるように構成されている。
【００４０】
ジョブ要求受付装置４０の例としては、専用の端末でもよく、パーソナルコンピュータやスマートフォン等に対して特定のプログラムを実装することで、ジョブ要求の入力を受け付け、入力されたジョブ要求の設定を画像読取装置１０に送信することができるようにしたものでも良い。
【００４１】
図２は、画像読取装置１０の機能構成を示すブロック図である。本実施形態の画像読取装置１０は、画像読取部１１と、画像記憶部１２と、ジョブ記憶部１３と、識別子検出部１４と、処理実行部１５と、制御部１６と、を具えている。なお、本発明の実施に当たっては、ジョブ要求の設定の入力を受け付けることのできるユーザインターフェイス（ＵＩ）を画像読取装置１０が具えていても良い。
【００４２】
画像読取部１１は、紙などの記録媒体に形成された画像（原稿画像）を読み取り（以下「スキャン」ともいう）、データ化する。
【００４３】
画像記憶部１２は、画像読取部１１によって読み取られた原稿の画像データを記憶する。
【００４４】
ジョブ記憶部１３は、利用者によって設定されたジョブ要求を記憶する。ジョブ要求の設定は、ジョブ要求受付装置４０あるいは画像読取装置１０が直接備えるユーザインターフェイスによって入力される。
【００４５】
識別子検出部１４は、画像記憶部１２から提供される原稿画像データから後処理を示す後処理識別子を検出する。
【００４６】
処理実行部５は、制御部１６（後述）により制御されて、画像記憶部１２に記憶されている画像データに対する処理を実行する。
【００４７】
制御部１６は、識別子検出部４によって検出された後処理識別子と紐づくジョブ要求がジョブ記憶部１３に記憶されている場合に、当該ジョブ要求の設定に従って処理を実行するように、処理実行部１５を制御する。
【００４８】
本実施形態に係る画像読取装置１０に依れば、後処理識別子が含まれる原稿画像をスキャンするだけで、当該後処理識別子と対応するジョブ要求に従った処理を実行させることができる。
【００４９】
また、画像読取部１１は、特定の条件下において原稿画像が所定箇所にセットされると自動的に当該原稿画像のスキャンを開始するようにされていても良い。その場合、原稿を所定箇所にセットするだけで、所望の処理を実行させるための原稿画像のスキャンが可能となる。
【００５０】
なお、画像読取装置１０には、上記画像読取部１１の自動スキャン機能とは独立に、スキャンを開始するための開始ボタンを別途設けても良い。
【００５１】
画像読み取り装置において原稿画像の読み取りを実行するためには、一般的に、１．画像読み取り装置の前に移動する、２．画像読み取り装置が具える原稿読み取り手段に原稿画像をセットする、３．原稿画像を読み取るためのスキャンジョブ（以下、「ジョブともいう」）を開始し、４．クライアント装置で読み取り結果を確認する、という手順を踏む。
【００５２】
従来の画像読み取り装置を用いて上記手順を実施する場合、３の過程を読み取り装置の操作用ユーザーインターフェイスにて行うことになるため、利用者は２の過程だけでなく３の過程においても物理的に画像読み取り装置を占有しなければならない。そのため、先に画像読み取り装置を物理的に占有して利用している利用者（「先利用者」）が、３の過程を終える（占有状態の終了）まで、原稿画像のスキャンを実行したい他の利用者（「後利用者」）は、２以降の過程を行うことができないため、原稿画像のスキャンを行うことができず、画像読取装置を利用するために待っていなければならなかった。
【００５３】
従って、スキャンの自動開始機能又は開始ボタンを設けた画像読取装置１０によれば、他の利用者による占有状態の終了を待っていなくとも、所望の処理を行うための原稿画像のスキャンが可能となる。
【００５４】
原稿画像に関連するデータに対する処理としては、画像読取装置が画像をスキャンした後に行うこととして周知の処理であればいずれの処理であっても採用可能であり、例えば、画像データを画像読取装置内部の又は画像読取装置とネットワーク接続された特定の格納場所に格納する、画像を加工・補正する、ＯＣＲ処理をする、特定のオフィス文書へ変換する、画像データの閲覧・利用のためのアクセス権を設定する等の、スキャンされた画像データに対して直接施す処理や、画像形成処理（プリント出力）、ファクシミリ送信等の画像データを利用する処理や、画像データの格納場所に関する情報をメール送信する、画像データを特定のメールアドレス宛に添付送信する等、画像データに関する情報を利用者又は第三者に提供する処理、等が挙げられる。
【００５５】
［後処理識別子］
後処理識別子としては、上記処理の内容や原稿画像の利用態様に応じて、様々なものが採用可能である。例えば、後処理が、画像データを特定の格納場所（あるいはファクシミリ送信先）に保存（あるいは送信）する、という場合における、「保存場所のアドレス」、「送信先のファクシミリ番号」等のような、後処理を行うために設定すべき設定事項、を後処理識別子とすることで、原稿をスキャンするだけで、原稿画像データを自動的に所望の保存先や送信先に保存、送信することが可能となるため、画像読取装置の占有時間の短縮が可能となる。
【００５６】
また、後処理識別子は、原稿画像の利用者を特定できる「利用者識別子」としても良い。その場合、原稿画像に含まれる利用者識別子から特定される利用者と、同一の利用者によって設定されたジョブ要求を、当該原稿画像に関するデータに対して処理させることが可能となるため、利用者がジョブ要求を設定するタイミングと、読取装置に原稿をセットするタイミングを非同期的に行うことが可能となる。
【００５７】
その結果、ジョブ要求の設定を予め行っておき、その後時間をおいて原稿をスキャンさせる、あるいは、先に原稿をスキャンさせておいて、その後、任意のタイミングでジョブ要求の設定を行う、といったように、ジョブ要求の設定及び画像読取装置での原稿のスキャンのそれぞれを、利用者の都合の良い時に、別々に行うことが可能となる。
【００５８】
利用者識別子としては、原稿画像の利用者を最終的に特定できる情報を持つものであれば、様々なものが利用可能である。利用者を直接特定できる文字列として、アカウントログインされて利用されることが想定されている画像読取装置における当該アカウントＩＤ（利用者ＩＤ）がある。また、ＵＵＩＤ：Universally Unique Identifierであれば、シードに利用者ＩＤを含めることで、生成されるＵＵＩＤが利用者ごとにユニークになるため、利用者を特定できる。利用者識別子としては、各種ＩＤの文字列そのものだけでなく、コード化したものも当然に利用可能である。バーコードやＱＲコード（登録商標）のような一次元コード・二次元コードやＭＩＳＴＣＯＤＥ（登録商標）のような低視認性コードに各ＩＤを含ませることができる。
【００５９】
また、事前に画像読取装置１０内部にあるいは画像読取装置１０からネットワークを経由してアクセスできる格納箇所（外部記憶装置）に登録しておくことで利用可能となるような利用者識別子の例としては、上記アカウントＩＤの他に、利用者による手書きの署名・記号などが挙げられる。これらは、利用者の情報と紐づけて登録しておくことで、利用者を特定できる。
【００６０】
また、利用者が任意に定めた暗証番号・パスワードを利用者識別子として用いても良い。ジョブ要求を入力する際に暗証番号・パスワードをあわせて入力することで、利用者を特定することが可能となり、暗証番号・パスワードの一致する原稿画像に対するジョブ要求として処理が実行される。
【００６１】
また、原稿の一部をデジタルカメラ、カメラ機能付きスマートフォン、ＷＥＢカメラを具えたＰＣ等で撮影しておき、ジョブ要求受付装置４０からジョブ要求の設定と共に当該撮影画像データを画像読取装置１０に送信するようにすることで、当該画像データそのものを利用者識別子として利用することもできる。なお、この場合、上記スマートフォンやＰＣなどの画像撮影機器そのものをジョブ要求受付装置４０とすることもできる。
【００６２】
撮影画像データを利用者識別子として利用するのではなく、利用者識別子を原稿に形成する方法としては、印刷機などの画像形成装置を用いて印字する方法、ユーザーが手で書き込む方法等の、原稿用記録媒体に直接形成する方法の他、利用者識別子が形成されているシールを、原稿用記録媒体に貼付する方法などがある。
【００６３】
ＵＵＩＤ：Universally Unique Identifier、ＭＩＳＴＣＯＤＥ（登録商標）のような低視認性コード、罫線などの予め定められたフォーム、及び、バーコード及びＱＲコード（登録商標）のような種々の一次元・二次元コード等は、原稿作成の事前に原稿用記録媒体に予め印字しておくこともできる好適な例である。印刷機等を用いて、識別子検出部４にとって判読性の高い利用者識別子を印字することができ、識別子検出部４における検出精度の向上が見込める。
【００６４】
また、特定の後処理識別子に対して既定のジョブ設定を予め用意しておくことで、ジョブ要求の設定をその都度行わなくとも、原稿（画像に含まれる後処理識別子）に応じて、処理を自動化することも可能となる。
【００６５】
例えば、識別子検出部４が検出した後処理識別子としてのアカウントＩＤに対して、特定の格納場所に画像データを保存する、という既定のジョブ設定が定められていれば、利用者はジョブ要求を別途設定しなくとも、原稿をスキャンさせるだけで、原稿がスキャンされた画像データが自動的に特定の格納場所に保存される。
【００６６】
また、罫線などのフォームを後処理識別子として利用する場合、罫線の種類ごとに特定の処理が対応するように既定のジョブ設定を定めておけば、原稿の種類に応じた処理を自動的に行わせることが可能となる。例えば、それぞれ特定のフォームが印字されている複数種類の申請用紙と、それらのフォームを後処理識別子として利用する画像読取装置１０とを組み合わせることで、必要事項が記入された当該申請用紙を、画像読取装置１０でスキャンさせるだけで、申請用紙に応じた処理（例えば、申請用紙（と対応する申請内容）の種類ごとにそれぞれの担当者宛にメールを送信する等）を行わせることが可能となる。
【００６７】
罫線などのフォームを利用者識別子として利用しても良い。例えば、申請用紙に含まれる利用者識別子から担当者を特定することで、申請用紙（と対応する申請内容）の種類ごとに、それぞれの担当者宛にメールを送信する、といったことが可能となる。
【００６８】
識別子検出部が後処理識別子の検出を試みる範囲については、原稿画像全体から特定の領域内に限定できることが好ましい。狭い領域に限定するほど、識別子の検出にかかる所要時間が短縮されることが期待でき、また、識別子検出の精度を高めることができる。ユーザーＩＤなどの文字列は、利用者識別子としてではなく原稿の本文の記述内に用いられる可能性があるため、原稿側の識別子を形成する場所を限定しておき、その限定された領域内に対してのみ識別子の検出を行うことで、それらの文字列を利用者識別子として用いる場合の誤検出を防ぐことができる。
【００６９】
なお、原稿全体（の画像）を後処理識別子として利用する場合であれば、原稿全体を当該特定の領域として設定することになるため、上記「特定の領域内」の設定には、原稿画像全体も選択できることが好ましい。
【００７０】
また、文字列を後処理識別子として用いる場合は、上述した識別子検出領域を限定する事とは別に、識別子として検出する場合の文字の向きを予め定めておくことでも、誤検出を抑制する効果が得られる。
【００７１】
図３に、処理として紙などの記録媒体に画像を形成する画像形成処理を行うように構成された例としての画像読取装置２０のハードウェア構成を示す。
【００７２】
画像読取装置２０は、原稿をスキャンすることで画像を読み込むスキャナ装置２１、複数枚の原稿からなる原稿束を積載可能な原稿搭載部２２、の他、ＣＰＵ２３、メモリ２４、ハードディスクドライブ（ＨＤＤ）等の記憶装置２５、ネットワーク３０を介して外部の装置等との間でデータの送信及び受信を行う通信インタフェース（ＩＦ）２６、タッチパネル又は液晶ディスプレイ並びにキーボードを含むユーザインタフェース（ＵＩ）装置２７を有し、更に、スキャナ装置によって読み込まれた画像を記録媒体に形成する画像形成装置２８を有する。これらの構成要素は、制御バス２９を介して互いに接続されている。
【００７３】
ＣＰＵ２３は、メモリ２４または記憶装置２５に格納された（あるいはＣＤ−ＲＯＭ等の記憶媒体（図示しない）から提供される）制御プログラム、に基づいて所定の処理を実行して、画像読取装置２０の動作を制御する。
【００７４】
スキャナ装置２１によりスキャンされた原稿の画像データは、メモリ２４あるいは記憶装置２５に一時的に格納される。原稿画像から利用者識別子が検出されると、メモリ２４あるいは記憶装置２５に記憶されている、検出された利用者識別子から特定される利用者と紐づくジョブ要求に基づいて、画像形成装置２８によって画像形成処理が行われる。
【００７５】
次に、本実施形態に係る画像読取装置１０の動作の例を、図４のフローチャートを参照しながら説明する。
【００７６】
利用者によって原稿が所定の箇所にセットされると、ステップＳ１ではユーザインターフェイス装置を用いてジョブ要求が設定されているかどうかが判定され、判定結果がＹＥＳの場合にはステップＳ２へ進み、判定結果がＮＯの場合にはステップＳ３へ進む。
【００７７】
ステップＳ２においてはユーザーインターフェイス装置で設定された設定値に基づいて画像読取部１によって原稿がスキャンされ、読み取られた原稿の画像データは画像記憶部２に一時保存されて、ステップＳ８へ進む。なお、ステップＳ１からステップＳ２を経由してステップＳ８へ進むルートは、従来方式の画像読取装置を用いた場合の動作に相当するものである。
【００７８】
ステップＳ３においては画像読取部１によって原稿がスキャンされ、読み取られた画像データは、画像記憶部２に一時保存され、ステップＳ４に進む。
【００７９】
ステップＳ４においては、識別子検出部が、画像記憶部２に一時保存されているスキャン画像から後処理識別子の検出を行い、識別子の検出ができた場合にステップＳ５へ進み、識別子を検出できなかった場合は、ステップＳ６へ進む。
【００８０】
ステップＳ５においては、検出された後処理識別子と紐づくジョブ要求がジョブ記憶部３に記憶されているどうかが制御部６によって判定され、判定結果がＹＥＳの場合はステップＳ８へ進み、ＮＯの場合は、ステップＳ７へ進む。
【００８１】
ステップＳ６においては、一時保存されているスキャン画像が画像記憶部２から削除され、終了となる。後処理識別子を検出できない画像データが削除されることで画像記憶部２の記憶領域が無駄に消費されることが防がれる。ステップＳ６又はステップＳ６の直前後においては、加えて、「識別子検出エラー」といったログや、後処理識別子が検出できなかったことを意味するフラグを立てる等、後処理識別子が検出できなかったことを示す記録を残しても良い。その場合、原稿あるいは操作手順について何らかの問題があったことの利用者への通知に利用できる。
【００８２】
ステップＳ７においては、予め設定された一定時間間隔でステップＳ５へ進む。ステップＳ５とステップＳ７をループしている間は、ジョブ要求の設定が為されていないために、一時保存されているスキャン画像について処理が行われずに待機状態であることを意味する。そのため、ステップＳ７又はステップＳ７の直前後においては更に、その旨を示すフラグを立てる等しても良い。その場合、当該スキャン画像について後処理識別子は検出できているが「ジョブ要求待ち」の状態であることの利用者への通知に利用することができる。
【００８３】
このループの間に、検出された後処理識別子と紐づいたジョブ要求を、画像読取装置１０が通信インターフェイス等を経由して受信していると、上述したステップＳ５における判定はＹＥＳとなるため、最終的に、ステップＳ８へ進むことになる。
【００８４】
なお、ループについては回数や時間について上限を設け、上限を超過した場合にステップＳ６へ進ませるようにしても良い（フローチャートには示していない）。長時間経過してもジョブ要求の設定がなされない、ということは、スキャン後の処理を行う必要がなくなった、あるいは、速やかに処理を行えない（行うべきではない）状況になった等、何らかの状況変化が生じている可能性があるため、それらの画像データによる画像記憶部２の記憶領域の無駄な消費を防ぐことができる。また、機密性の高い原稿であった場合の情報漏洩のリスクの低減にもつながる。
【００８５】
なお、ステップＳ７からステップＳ６へ進んだ際に記録を残す場合は、後処理識別子が検出できなかったわけではないので、後処理識別子が検出できなかったエラーとは別の意味のログやフラグ等で記録を残すことで、原稿画像をスキャン後、一定時間が経過したためスキャン画像について処理が行われず、一時保存されたデータが削除されたことの利用者への通知に利用できる。
【００８６】
ステップＳ８においては一時保存されているスキャン画像に対して、ジョブ要求の設定に基づいて処理が為され、終了となる。
【００８７】
本実施形態に係る画像読取装置１０においては、ジョブ開始操作が行われずに画面原稿搭載部２に原稿がセットされると、ジョブ要求の設定を待たずに、スキャナ装置１１による原稿のスキャンが開始される。そして、原稿画像から検出された後処理識別子と紐づいたジョブ要求があった場合に、そのジョブ要求の設定に従って処理を行う。
【００８８】
本実施形態に係る画像読取装置１０においては、異なる複数の利用者による複数の原稿束が一度にセットされることを許容するため、利用者ごとに原稿を区別できることが好ましい。
【００８９】
原稿束に利用者識別子を設ける場合、原稿束の全ページに利用者識別子を設けてある場合であれば、どの利用者による原稿なのかがわからなくなる、という問題は生じないが、原稿束の最初のページのみに利用者識別子を設けてるような場合（例えば、原稿束の表示画像を利用者識別子とする場合）、どの利用者による原稿であるかを区別する方法が必要となる。
【００９０】
例えば、ジョブ設定の際に原稿の枚数を設定する、別の利用者識別子が検出されるまでを一纏めの原稿とする、原稿の紙質・原稿の紙の向き・原稿のフォント・原稿のフォーム・原稿に転写されているトナー違い等によって判断する、原稿がセットされた時刻（予め設定された時間間隔を超えたものは、次の別原稿とする）で判断する、等の方法が考えられる。
【００９１】
本実施形態に係る画像読取装置１０は、ジョブ要求の設定（上記実施形態においてはジョブ要求受付装置４０で行う）と、画像読取装置への原稿のセットとを、それぞれ任意のタイミングで（非同期的に）行うことができるため、ジョブ要求の設定を行ってから原稿をセットする手順と、原稿をセットしてからジョブ要求の設定を行う手順のどちらでも実行することが可能となる。
【００９２】
以下、ジョブ要求受付装置４０としてカメラ機能を有するスマートフォンを用いて、利用者識別子としてスマートフォンによって撮影された原稿の画像を用いるように構成された画像読取装置を実施例として説明する。
【００９３】
本実施例においては、原稿を画像読取装置にセットするタイミングと、スマートフォンからジョブ要求を設定するタイミングを、それぞれ任意のタイミングで実施することができるため、ジョブ要求の設定を行ってから原稿をセットする手順（実施例１）、原稿をセットしてからジョブ要求の設定を行う手順（実施例２）、のどちらの手順でも実行することが可能となる。
【実施例１】
【００９４】
スマートフォンを用いて原稿画像を利用者識別子として撮影した後、原稿を画像読取装置にセットしてからジョブ要求の設定を行う場合のシークエンス図を図５に示した。
【００９５】
利用者はジョブ要求受付装置を用いて原稿束の表紙を撮影しておく。次いで、任意のタイミングで利用者が画像読取装置の所定の箇所（例えば、画像読取装置２０の原稿搭載部２２）に原稿束をセットすると、画像読取装置の画像読取部によって原稿束を順次読み取り、読み取られた画像データが、画像記憶部に一時的に記憶される。その後、利用者が任意のタイミングで、スマートフォンを用いてジョブ要求を設定する。
【００９６】
ジョブ要求の設定の際には、利用者はジョブ要求の設定と共に撮影しておいた原稿画像を利用者識別子として選択し、スマートフォンから画像読取装置に対して、ジョブ要求及び利用者識別子と一致する画像を、画像記憶部に記憶されている画像から検索するように指示が送信される。
【００９７】
画像記憶部には既に当該利用者識別子と一致する画像が保存されているため、画像読取装置からはスマートフォンへ利用者識別子と一致する画像があったことが検索結果として送信される。正しい原稿画像が返されたことを利用者が確認した後、スマートフォンから画像読取装置に対して処理の実行の指示が送信される。
【実施例２】
【００９８】
スマートフォンを用いて原稿画像を利用者識別子として撮影した後、ジョブ要求の設定を行ってから、原稿を画像読取装置にセットする場合のシークエンス図を図６に示した。
【００９９】
利用者はジョブ要求受付装置を用いて原稿束の表紙を撮影しておく。次いで、任意のタイミングで利用者はスマートフォンを用いてジョブ要求を設定する。ジョブ要求の設定の際には、利用者はジョブ要求の設定と共に撮影しておいた原稿画像を利用者識別子として選択し、スマートフォンから画像読取装置に対して、ジョブ要求及び利用者識別子と一致する画像を、画像記憶部に記憶されている画像から検索するように指示が送信される。
【０１００】
画像読取装置では原稿はスキャンされていないため、検索してもヒットせず、ジョブ要求は一時保留の状態となる。以降画像読取装置は、一定間隔をおいて指示された検索処理を繰り返し行う。
【０１０１】
次いで、任意のタイミングで利用者が画像読取装置の所定の箇所に原稿束をセットすると、画像読取装置の画像読取部によって原稿束が順次読み取られ、読み取られた画像データが、画像記憶部に一時的に記憶される。すると、繰り返し行われている検索処理によって、画像記憶部に記憶された画像と利用者識別子の画像とが一致することになるため、画像読取装置からスマートフォンへ、利用者識別子と一致する画像があったことが検索結果として送信される。
【０１０２】
その後、利用者が任意のタイミングで、スマートフォンを用いて正しい原稿画像が返されていること確認した後、スマートフォンから画像読取装置に対して処理の実行の指示が送信される。
【０１０３】
このように、利用者は都合の良い時に原稿をセットすることが可能であり、他の利用者が画像読取装置を利用し終えることを待たなくても、原稿画像のスキャンができる。
【符号の説明】
【０１０４】
１０、２０    画像読取装置
１１    画像読取部
１２    画像記憶部
１３    ジョブ記憶部
１４    識別子検出部
１５    処理実行部
１６    制御部
２１    スキャナ装置
２２    原稿搭載部
２３    ＣＰＵ
２４    メモリ
２５    記憶装置
２６    通信インタフェース（ＩＦ）
２７    ユーザインタフェース（ＵＩ）装置
２８    画像形成装置
２９    制御バス
３０    ネットワーク
４０    ジョブ要求受付装置
【図１】
2018046474.tif 000003
【図２】
2018046474.tif 000004
【図３】
2018046474.tif 000005
【図４】
2018046474.tif 000006
【図５】
2018046474.tif 000007
【図６】
2018046474.tif 000008